(57)【特許請求の範囲】
【請求項１】
天井から吊り下げられて設置される天井扇風機であって、
電動機と、
前記電動機の駆動により回転する支持体と、
翼部と、前記翼部より回転中心側の根元部とを有する羽根を含み、前記根元部が着脱可能に前記支持体へ装着されて前記支持体に支持される複数の羽根と
を備え、
前記支持体には、前記根元部を前記支持体へ固定する固定部材が締め付けられる固定部材受け部と、前記固定部材受け部より前記回転中心側の位置であって前記根元部が当接可能な位置に設けられた突起部とが設けられ、
前記根元部には、前記固定部材が通される貫通孔が設けられ、
前記貫通孔は、
前記固定部材を締め付け可能とされた第１の孔部と、
前記回転中心側とは逆側にて前記第１の孔部に繋げられており、前記第１の孔部の径より大きい径の第２の孔部とを含み、
前記突起部は、前記回転中心側から遠心方向へ向かって下り勾配をなす傾斜面を備えることを特徴とする天井扇風機。
【請求項２】
羽根１つ当たりに２つの前記固定部材受け部が設けられており、
前記根元部は、２つの前記固定部材受け部に対応する２つの前記貫通孔を備え、
２つの前記貫通孔は、前記回転中心から遠心方向へ向かう当該羽根の中心軸について非対称な位置に設けられていることを特徴とする請求項１に記載の天井扇風機。
【請求項３】
各貫通孔における前記第１の孔部の中心と前記第２の孔部の中心とを通る中心線が平行であることを特徴とする請求項２に記載の天井扇風機。
【請求項４】
前記第２の孔部の径は、前記固定部材であるネジの頭部の径より大きいことを特徴とする請求項１から３のいずれか１つに記載の天井扇風機。
【請求項５】
前記根元部の第１面における前記第２の孔部の径は、前記頭部の径より大きく、
前記根元部のうち前記第１面の裏側の面であり前記支持体に対向する面である第２面における前記第２の孔部の径は、前記第１面における前記第２の孔部の径より大きいことを特徴とする請求項４に記載の天井扇風機。
【発明の詳細な説明】
【技術分野】
【０００１】
本発明は、天井から吊り下げられて設置される天井扇風機に関する。
【背景技術】
【０００２】
複数の羽根を回転させる天井扇風機において、各羽根は、複数の羽根を支持する支持体に着脱可能に取り付けられる。【０００３】
特許文献１には、回転子に固定された枠状の支持体と、支持体に着脱可能に取り付けられた複数の羽根とを備える天井扇風機が開示されている。特許文献１に開示されている構成では、羽根のうちの根元部が支持体に固定される。
【先行技術文献】
【特許文献】
【０００４】
【特許文献１】特開２００９−１２１２４３号公報
【発明の概要】
【発明が解決しようとする課題】
【０００５】
一般的な天井扇風機において、支持体における根元部の固定には、固定部材であるネジが使用される。根元部に形成されている貫通孔を通されたネジが支持体のネジ受け部へ締め付けられることで、根元部が支持体に固定される。貫通孔の径がネジの径より大きくされている場合には、ネジの締め付けにより根元部が固定される際に、支持体に対する根元部の位置が変わってしまうことがある。このため、支持体における羽根の取り付け位置にばらつきが生じることがある。また、貫通孔の径がネジの径と同じとされている場合には、ネジ受け部の位置に貫通孔の位置が一致するように根元部の位置を定めることが困難となり、作業性が悪化することとなる。【０００６】
本発明は、上記に鑑みてなされたものであって、羽根の取り付け位置のずれを抑制でき、かつ効率的な作業によって羽根を装着可能とする天井扇風機を得ることを目的とする。
【課題を解決するための手段】
【０００７】
上述した課題を解決し、目的を達成するために、本発明にかかる天井扇風機は、天井から吊り下げられて設置される。天井扇風機は、電動機と、電動機の駆動により回転する支持体と、複数の羽根とを備える。複数の羽根は、翼部と、翼部より回転中心側の根元部とを有する羽根を含み、根元部が着脱可能に支持体へ装着されて支持体に支持される。支持体には、根元部を支持体へ固定する固定部材が締め付けられる固定部材受け部が設けられる。根元部には、固定部材が通される貫通孔が設けられる。貫通孔は、固定部材を締め付け可能とされた第１の孔部と、回転中心側とは逆側にて第１の孔部に繋げられており、第１の孔部の径より大きい径の第２の孔部とを含む。
【発明の効果】
【０００８】
本発明にかかる天井扇風機は、羽根の取り付け位置のずれを抑制でき、かつ効率的な作業によって羽根を装着できるという効果を奏する。
【図面の簡単な説明】
【０００９】
【図１】本発明の実施の形態にかかる天井扇風機の全体構成を示す図
【図２】図１に示す支持体の上面図
【図３】図１に示す羽根の上面図
【図４】図３に示す貫通孔を示す図
【図５】図２に示す支持体へ羽根を装着する手順を説明する第１の図
【図６】図２に示す支持体へ羽根を装着する手順を説明する第２の図
【図７】図５に示す第２の孔部へネジが挿入されるときの様子を示す図
【図８】図５に示す貫通孔へネジが通されてから羽根を移動させたときの様子を示す図
【発明を実施するための形態】
【００１０】
以下に、本発明の実施の形態にかかる天井扇風機を図面に基づいて詳細に説明する。なお、この実施の形態によりこの発明が限定されるものではない。
【００１１】
実施の形態．
図１は、本発明の実施の形態にかかる天井扇風機１の全体構成を示す図である。天井扇風機１は、天井８から吊り下げられて設置される。天井扇風機１は、複数の羽根２と、電動機３と、電動機３の駆動により回転し、複数の羽根２を支持する支持体４とを備える。
【００１２】
図１に示す例では、天井扇風機１は、３つの羽根２を備える。図１では、３つの羽根２のうちの２つを示している。なお、天井扇風機１に備えられる羽根２は、３つより多くても良く、あるいは３つより少なくても良い。
【００１３】
また、天井扇風機１は、天井８からの吊り下げのための棒部材である連結部５を備える。連結部５の上端部は、天井８に固定された吊下部７に掛け合せ可能とされている。連結部５は、吊下部７から下方へ吊り下げられる。図１に示す例では、連結部５の中心軸は、回転軸Ｃと一致している。電動機３は、連結部５の下側に設けられている。さらに、天井扇風機１は、電動機３の下方部分を覆う意匠カバー６を備える。
【００１４】
支持体４は、電動機３の駆動により回転する円板部材であって、連結部５の下端部付近に設置されている。支持体４は、電動機３の上部および上部周縁を覆うように設けられており、電動機３の回転子に連結されている。なお、図１では回転子の図示を省略している。
【００１５】
電動機３の駆動により、複数の羽根２は、支持体４とともに回転軸Ｃを中心に回転する。天井扇風機１は、複数の羽根２を回転させることにより空気流を発生させる。
【００１６】
図２は、図１に示す支持体４の上面図である。支持体４には、固定部材であるネジが締め付けられる固定部材受け部であるネジ受け部１１，１２が設けられている。支持体４には、羽根２の１つあたりに２つのネジ受け部１１，１２が設けられている。
【００１７】
また、支持体４には、突起部１３が羽根２ごとに設けられている。突起部１３は、各羽根２についてのネジ受け部１１とネジ受け部１２との組み合わせより回転中心側の位置に設けられている。なお、連結部５は、支持体４の中心部を通される。
【００１８】
図３は、図１に示す羽根２の上面図である。図３には、天井扇風機１に備えられた複数の羽根２のうちの１つを示している。なお、以下に説明する１つの羽根２の構成と、当該羽根２の支持体４への取り付けのための構成とは、各羽根２に共通であるものとする。
【００１９】
図３以降において、Ｘ軸、Ｙ軸およびＺ軸は、互いに垂直な３軸とする。Ｘ軸方向のうちプラスＸ方向は、複数の羽根２の回転中心である回転軸Ｃから遠心方向へ向かう方向とする。マイナスＸ方向は、プラスＸ方向の逆方向とする。Ｚ軸は、回転軸Ｃに平行な軸とする。Ｚ軸方向のうちプラスＺ方向は、鉛直上方向とする。マイナスＺ方向は、プラスＺ方向とは逆の鉛直下方向とする。Ｙ軸方向のうちプラスＹ方向は、図３の紙面にて下から上へ向かう方向とする。マイナスＹ方向は、プラスＹ方向の逆方向とする。
【００２０】
羽根２は、翼部２２と、翼部２２より回転中心側であるマイナスＸ方向側の根元部２１とを有する。根元部２１は、図２に示す支持体４に着脱可能に装着される。各羽根２の根元部２１が支持体４に装着されることで、支持体４は、各羽根２を支持する。
【００２１】
根元部２１には、固定部材であるネジが通される２つの貫通孔２３，２４が設けられている。２つの貫通孔２３，２４の位置は、それぞれ２つのネジ受け部１１，１２の位置に対応している。
【００２２】
貫通孔２３は、固定部材であるネジを締め付け可能とされた第１の孔部２５と、第１の孔部２５の径より大きい径の第２の孔部２６とを含む。第２の孔部２６は、回転中心側とは逆側であるプラスＸ方向側にて第１の孔部２５に繋げられている。貫通孔２４は、貫通孔２３と同様に、第１の孔部２５および第２の孔部２６とを含む。
【００２３】
図４は、図３に示す貫通孔２３を示す図である。第１の孔部２５は、貫通孔２３のうち直径Ｄ１の円形をなす開口部である。第２の孔部２６は、貫通孔２３のうち直径Ｄ２の円形をなす開口部である。直径Ｄ２は直径Ｄ１より大きく、Ｄ１＜Ｄ２の関係が成り立つ。貫通孔２３は、互いに異なる径の第１の孔部２５と第２の孔部２６とが連結された長孔である。また、第１の孔部２５の中心と第２の孔部２６の中心とを通る中心線Ｏは、Ｘ軸に平行である。第１の孔部２５と第２の孔部２６とは、Ｘ軸方向において互いに連結されている。
【００２４】
図３に示す貫通孔２４においても、貫通孔２３と同様に、Ｄ１＜Ｄ２の関係が成り立つ。また、貫通孔２４の第１の孔部２５と第２の孔部２６とは、Ｘ軸方向において互いに連結されている。根元部２１に設けられている貫通孔２３，２４において、第１の孔部２５と第２の孔部２６とが連結されている方向は、互いに平行とされている。
【００２５】
図３に示すように、２つの貫通孔２３，２４は、回転中心である回転軸Ｃから遠心方向へ向かうＸ軸に平行な羽根２の中心軸Ｎについて非対称な位置に設けられている。言い換えると、中心軸Ｎについて、一方の貫通孔２３の位置と線対称な位置以外の位置に、他方の貫通孔２４が設けられている。
【００２６】
このように２つの貫通孔２３，２４の位置を互いに非対称としたことで、羽根２の上下の向きが正しい取り付け向きとなっている状態と、正しい取り付け向きとは逆になっている状態とを容易に見分けることが可能となる。
【００２７】
なお、根元部２１に設けられる貫通孔２３，２４は２つである場合に限られない。根元部２１に設けられる貫通孔は２つより多くても良い。この場合も、各貫通孔は、貫通孔２３，２４と同様に、第１の孔部２５と第２の孔部２６とを備える。また、各貫通孔は、中心軸Ｎについて非対称な位置に設けられる。
【００２８】
次に、支持体４への羽根２の装着方法を説明する。図５は、図２に示す支持体４へ羽根２を装着する手順を説明する第１の図である。羽根２は、２つの貫通孔２３，２４の第２の孔部２６の位置が、それぞれ２つのネジ受け部１１，１２の位置に合うように位置決めされる。２つの貫通孔２３，２４の第２の孔部２６へ固定部材であるネジ２７をそれぞれ挿入して、ネジ受け部１１，１２へネジ２７の先端をねじ込むことにより、支持体４に根元部２１を仮固定する。
【００２９】
仮固定においては、ネジ２７の頭部と支持体４との間に、根元部２１の厚さより大きい隙間が残される。根元部２１は、ネジ２７の頭部と支持体４とによる固定がなされておらず、貫通孔２３，２４にネジ２７が通された状態が維持される範囲において移動が可能とされている。２つの貫通孔２３，２４において、第１の孔部２５と第２の孔部２６とが連結されている方向がいずれもＸ軸方向であることから、Ｘ軸方向において羽根２を移動させることができる。
【００３０】
図６は、図２に示す支持体４へ羽根２の装着する手順を説明する第２の図である。図５に示すように、ネジ２７が第２の孔部２６を通されている状態から、羽根２をプラスＸ方向へ移動させる。羽根２をプラスＸ方向へ移動させることで、２つの貫通孔２３，２４において、ネジ２７の位置から第２の孔部２６が移動するとともに、第１の孔部２５がネジ２７の位置へ移動する。
【００３１】
ネジ２７は第１の孔部２５へ嵌め込まれる。第１の孔部２５へネジ２７が嵌め込まれてから、第１の孔部２５とネジ受け部１１，１２とへネジ２７を締め付けることで、支持体４に根元部２１が固定される。このようにして、羽根２は支持体４へ装着される。
【００３２】
図４に示す第２の孔部２６の直径Ｄ２は、ネジ２７の頭部の径より大きい。根元部２１の仮固定のときには、径が大きい第２の孔部２６へネジ２７を通せるようにしたことで、貫通孔２３，２４へ容易にネジ２７を通すことができる。これにより、貫通孔２３，２４が、ネジ２７の軸部の径と同じ径の孔部のみからなる場合と比べて、効率的な作業によって羽根２を装着することができる。
【００３３】
また、第１の孔部２５の直径Ｄ１は、ネジ２７の軸部の径と同じである。仮固定の後の締め付けにおいては、第１の孔部２５へネジ２７が嵌め込まれることで、支持体４に対する根元部２１の位置を安定させることが可能となる。これにより、貫通孔２３，２４は、ネジ２７の径より大きい径の孔部のみからなる場合と比べて、羽根２の取り付け位置のずれを抑制することができる。羽根２の取り付け位置のずれを抑制できることで、天井扇風機１の運転時における羽根２の振れを低減できる。
【００３４】
貫通孔２３，２４は、締め付け孔として機能する第１の孔部２５と脱着孔として機能する第２の孔部２６とを併せ持つことで、羽根２の取り付け位置のずれを抑制できるという効果と、効率的な作業によって羽根２を装着できるという効果とを得ることができる。また、根元部２１における２つの貫通孔２３，２４の位置を互いに非対称として、羽根２の向きの容易な見分けを可能としたことで、上下方向において羽根２が逆さに取り付けられることを抑制できる。かかる効果は羽根２に別途部品を追加せずに得ることが可能であるため、天井扇風機１は、安価な構成によって効果を実現できる。
【００３５】
図７は、図５に示す第２の孔部２６へネジ２７が挿入されるときの様子を示す図である。図７では、根元部２１のうち第２の孔部２６が設けられている部分の断面と、第２の孔部２６の下方にあるネジ２７とを示している。図７に示す根元部２１の断面は、Ｙ軸とＺ軸とに平行な断面である。
【００３６】
根元部２１のうちプラスＺ方向側の面である第１面３１における第２の孔部２６の直径Ｄ２は、ネジ２７の頭部３３の径Ｄ４より大きい。また、根元部２１のうち第１面３１の裏側の面である第２面３２における第２の孔部２６の直径Ｄ３は、直径Ｄ２より大きい。第２の孔部２６は、第１面３１からマイナスＺ方向へ向かうにしたがい径が漸次大きくなるような円錐面をなしている。
【００３７】
第２の孔部２６へのネジ２７の挿入前において、ネジ２７は、軸部３４の下端側部分がネジ受け部１１，１２に挿入されており、支持体４に仮止めされている。かかる支持体４に第２面３２を対向させて、第２面３２側から第２の孔部２６へネジ２７の頭部３３が挿入される。第２の孔部２６へ挿入されたネジ２７は、第１面３１側へ通される。
【００３８】
第２の孔部２６の直径Ｄ２を頭部３３の径Ｄ４より大きくしたことで、支持体４に仮止めされたネジ２７を第２面３２側から第２の孔部２６へ通すことが可能となる。第１面３１側からネジ２７の軸部３４を第２の孔部２６へ通してからネジ受け部１１，１２へ軸部３４を挿入する場合と比べると、あらかじめネジ２７を仮止めすることで、支持体４へ根元部２１を押さえ付けながらネジ２７を挿入することが不要となる。これにより、羽根２の装着のための作業を効率化できる。
【００３９】
また、第２面３２における第２の孔部２６の直径Ｄ３を、第１面３１における第２の孔部２６の直径Ｄ２より大きくしたことで、ネジ２７の頭部３３を容易に第２の孔部２６へ挿入することが可能となる。これにより、羽根２の装着のための作業をさらに効率化できる。
【００４０】
図８は、図５に示す貫通孔２３へネジ２７が通されてから羽根２を移動させたときの様子を示す図である。図８では、根元部２１のうち貫通孔２３が設けられている部分の断面と、貫通孔２３を通されているネジ２７とを示している。図８に示す根元部２１の断面は、Ｘ軸とＺ軸とに平行な断面である。
【００４１】
突起部１３は、支持体４のうち、ネジ受け部１１，１２より回転中心側の位置であって根元部２１が当接可能な位置に設けられている。突起部１３は、回転中心側から遠心方向であるプラスＸ方向へ向かって下り勾配をなす傾斜面３６を備える。
【００４２】
ネジ２７を締め付けるにしたがって、根元部２１のうち回転中心側の端部３５が傾斜面３６に当接しながら傾斜下方へ移動していくことにより、根元部２１はプラスＸ方向へ押し出される。作業者によるネジ２７の締め付けと同時に、作業者の意識によらずに羽根２を移動させることができる。これにより、羽根２の装着のための作業をさらに効率化できる。また、定められた位置へ根元部２１を移動させると同時に、根元部２１を固定できるため、羽根２の取り付け位置のずれをさらに抑制することができる。
【００４３】
実施の形態によると、天井扇風機１は、第１の孔部２５と第２の孔部２６とを備える貫通孔２３，２４を根元部２１に設けたことで、第２の孔部２６から通されてから第１の孔部２５へ移動させたネジ２７が、第１の孔部２５にて締め付けられる。第２の孔部２６からネジ２７が通されることで、効率的な作業によって羽根２を装着することが可能となる。また、第１の孔部２５へネジ２７が締め付けられることで、羽根２の取り付け位置のずれを抑制することが可能となる。これにより、天井扇風機１は、羽根２の取り付け位置のずれを抑制でき、かつ効率的な作業によって羽根２を装着できるという効果を奏する。
【００４４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】
１  天井扇風機、２  羽根、３  電動機、４  支持体、５  連結部、６  意匠カバー、７  吊下部、８  天井、１１，１２  ネジ受け部、１３  突起部、２１  根元部、２２  翼部、２３，２４  貫通孔、２５  第１の孔部、２６  第２の孔部、２７  ネジ、３１  第１面、３２  第２面、３３  頭部、３４  軸部、３５  端部、３６  傾斜面、Ｃ  回転軸、Ｎ  中心軸、Ｏ  中心線。
【図１】
0006779378.tif 000002
【図２】
0006779378.tif 000003
【図３】
0006779378.tif 000004
【図４】
0006779378.tif 000005
【図５】
0006779378.tif 000006
【図６】
0006779378.tif 000007
【図７】
0006779378.tif 000008
【図８】
0006779378.tif 000009